(57)【要約】【課題】複数の計量器のタッチパネルの表示を一括して変更できる計量装置及び計量装置システムを提供する。【解決手段】計量装置は、商品コードを入力するワンタッチキーを表示するタッチパネルと、記録媒体に画像形成するプリンタと、商品の重さを計量する計量部と、商品コードごとに商品の名称及び単価を格納する商品マスタと、ワンタッチキーごとに固有に割り当てられるキー番号ごとに商品コード及びワンタッチキーに表示する表示名称を格納するキーマスタと、通信を行う通信部と、通信部を介して接続する集約サーバから更新指示と更新データを受信した場合、キーマスタを更新する制御部と、を備える。【選択図】図６
2014169888.tif 000002
【特許請求の範囲】
【請求項１】
商品コードを入力するワンタッチキーを表示するタッチパネルと、
記録媒体に画像形成するプリンタと、
商品の重さを計量する計量部と、
前記商品コードごとに前記商品の名称及び単価を格納する商品マスタと、
前記ワンタッチキーごとに固有に割り当てられるキー番号ごとに前記商品コード及び前記ワンタッチキーに表示する表示名称を格納するキーマスタと、
通信を行う通信部と、
前記通信部を介して接続する集約サーバから更新指示と更新データを受信した場合、前記キーマスタを更新する制御部と、
を備える計量装置。
【請求項２】
前記制御部は、
前記キーマスタを更新した場合、更新したワンタッチキーを前記タッチパネルにハイライト表示する請求項１記載の計量装置。
【請求項３】
前記制御部は、
前記キーマスタを更新した場合、更新結果を前記タッチパネルに表示する請求項１記載の計量装置。
【請求項４】
商品コードを入力するワンタッチキーを表示するタッチパネルと、記録媒体に画像形成するプリンタと、商品の重さを計量する計量部と、前記商品コードごとに前記商品の名称及び単価を格納する第１の商品マスタと、前記ワンタッチキーごとに固有に割り当てられるキー番号ごとに前記商品コード及び前記ワンタッチキーに表示する表示名称を格納する第１のキーマスタと、通信を行う第１の通信部と、第１の制御部と、を備える計量装置と、
前記商品コードごとに前記商品の名称及び単価を格納する第２の商品マスタと、前記ワンタッチキーごとに固有に割り当てられるキー番号ごとに前記商品コード及び前記ワンタッチキーに表示する表示名称を格納する第２のキーマスタと、通信を行う第２の通信部と、第２の制御部と、を備える集約サーバと、
を備える計量装置システムであって、
前記第１の制御部は、
前記集約サーバから更新指示と更新データを受信した場合、前記第１のキーマスタを更新する計量装置システム。
【請求項５】
前記第１の制御部は、
前記第１のキーマスタを更新した場合、更新したワンタッチキーを前記タッチパネルにハイライト表示する請求項４記載の計量装置システム。
【発明の詳細な説明】
【技術分野】
【０００１】
本発明の実施形態は、計量装置及び計量装置システムに関する。
【背景技術】
【０００２】
計量装置は、タッチパネル、キーボードなどの入出力部と、キーボードと、商品の重さを計量する計量部と、商品の単価を格納する商品マスタと、入出力日によって指定された商品の単価を商品マスタから読み出し、計量部によって計量した商品の重さに基づいて商品の販売価格を計算する制御部と、販売価格を記録媒体に印字するプリンタと、を備える。
【０００３】
多店舗展開される販売店にこの計量装置が設置される場合、計量装置は通信部をさらに備え、集約サーバに接続される。
【０００４】
従来の計量装置は、商品の入れ替えや単価の変更が生じた場合、商品マスタの更新は集約サーバによって遠隔操作により行われていた。
【０００５】
しかし、タッチパネルの表示の変更は各店舗において操作者が手動によって行わざるを得ず、工数がかかっているのみならず操作ミスが生じやすかった。
【先行技術文献】
【特許文献】
【０００６】
【特許文献１】特開２０１２−１４１２４７号公報
【発明の概要】
【発明が解決しようとする課題】
【０００７】
従って、複数の計量器のタッチパネルの表示を一括して変更できる計量装置及び計量装置システムが求められている。
【課題を解決するための手段】
【０００８】
上記の課題を解決するために、本発明の一実施形態は、商品コードを入力するワンタッチキーを表示するタッチパネルと、記録媒体に画像形成するプリンタと、商品の重さを計量する計量部と、商品コードごとに商品の名称及び単価を格納する商品マスタと、ワンタッチキーごとに固有に割り当てられるキー番号ごとに商品コード及びワンタッチキーに表示する表示名称を格納するキーマスタと、通信を行う通信部と、通信部を介して接続する集約サーバから更新指示と更新データを受信した場合、キーマスタを更新する制御部と、を備える計量装置を提供する。
【図面の簡単な説明】
【０００９】
【図１】計量装置の外観斜視図である。
【図２】計量装置の構成を示すブロック図である。
【図３】商品マスタのデータ構成を示す図である。
【図４】キーマスタのデータ構成の例を示す図である。
【図５】ワンタッチキーの更新時の表示の例を示す図である。
【図６】計量装置のワンタッチキーの更新動作を示すフローチャートである。
【発明を実施するための形態】
【００１０】
以下、計量装置及び計量装置システムの一実施形態について、図面を用いて詳細に説明する。
【００１１】
本実施形態の計量装置は、商品コードを入力するワンタッチキーを表示するタッチパネルと、記録媒体に画像形成するプリンタと、商品の重さを計量する計量部と、商品コードごとに商品の名称及び単価を格納する商品マスタと、ワンタッチキーごとに固有に割り当てられるキー番号ごとに商品コード及びワンタッチキーに表示する表示名称を格納するキーマスタと、通信を行う通信部と、通信部を介して接続する集約サーバから更新指示と更新データを受信した場合、キーマスタを更新する制御部と、を備える。
【００１２】
図１は、計量装置１の外観斜視図である。図１に示すように、計量装置１は、情報を入出力するタッチパネル１２Ａと、キーボード１２Ｂと、記録媒体に画像形成するプリンタ１４と、商品の重さを計量する計量部１５と、を備える。
【００１３】
計量装置１はタッチパネル１２Ａに商品名が記載されたワンタッチキーを表示する。このワンタッチキーが押下されることにより、計量装置１は各ワンタッチキーに割り当てられた当該商品名に対応する商品コードを入力する。
【００１４】
図２は、計量装置１の構成を示すブロック図である。図２に示すように、計量装置１は、ＣＰＵ（Ｃｅｎｔｒａｌ  Ｐｒｏｃｅｓｓｉｎｇ  Ｕｎｉｔ）などの演算装置を含む制御部１１と、タッチパネル１２Ａ及びキーボード１２Ｂを含む入出力部１２と、プリンタ１４と、商品の重さの計量する計量部１５と、通信を行う通信部１７と、メモリ、ハードディスクドライブなどの記憶部１８と、を備える。
【００１５】
記憶部１８は、商品コードごとに商品の名称と単価とを格納する商品マスタ１８Ａと、タッチパネル１２Ａに表示されるワンタッチキーに固有に割り当てられるキー番号ごとに商品コード及びワンタッチキーに表示する商品の名称を格納するキーマスタ１８Ｂと、を備える。
【００１６】
計量装置１は、通信部１７を介して集約サーバ２と通信する。計量装置１は１つの集約サーバ２に対して複数接続されていてもよい。
【００１７】
集約サーバ２は、ＣＰＵなどの演算装置を含む制御部２１と、情報を入出力する入出力部２２と、通信を行う通信部２７と、メモリ、ハードディスクドライブなどの記憶部２８と、を備える。
【００１８】
記憶部２８は、商品コードごとに商品の名称と単価とを格納する商品マスタ２８Ａと、タッチパネル１２Ａに表示されるワンタッチキーに固有に割り当てられるキー番号ごとに商品コード及びワンタッチキーに表示する商品の名称を格納するキーマスタ２８Ｂと、を備える。
【００１９】
図３は、商品マスタ１８Ａのデータ構成を示す図である。図３に示すように、商品マスタ１８Ａは、商品に固有に割り当てられる識別子である「商品コード」と、商品の名称を示す「名称」と、販売部門を示す「部門」と、商品の単位重量当たりの単価を示す「単価」と、を格納する。
【００２０】
各データの例は、商品コードが「１００１２３４」、名称が「黒豚モモ切り落とし」、部門が「０５０１」、単価が「２０５」である。
【００２１】
商品マスタ２８Ａのデータ構成は商品マスタ１８Ａのデータ構成と同様である。
【００２２】
図４は、キーマスタ１８Ｂのデータ構成の例を示す図である。図４に示すように、キーマスタ１８Ｂは、各ワンタッチキーに固有に割り当てられる「キー番号」と、「商品コード」と、ワンタッチキーに表示する商品の名称である「表示名称」と、更新処理の結果を示す「処理結果」と、更新処理の実行日時を示す「更新日時」と、を格納する。
【００２３】
各データの例は、キー番号が「００１」、商品コードが「１００１２３４」、表示名称が「黒豚モモ切り落とし」、処理結果が「成功」、更新日時が「２０１３０３０５１１０３」である。
【００２４】
集約サーバ２が備えるキーマスタ２８Ｂのデータ構成は計量装置１が備えるキーマスタ１８Ｂのデータ構成と同様である。
【００２５】
図５は、ワンタッチキー５０３の更新時の表示の例を示す図である。図５に示すように、計量装置１はタッチパネル１２Ａに商品入力画面５０１を表示する。
【００２６】
商品入力画面５０１は、ページ番号を示すページ番号タブ５０２と、ワンタッチキー５０３と、更新処理の結果を表示する結果表示欄５０４と、を表示する。
【００２７】
操作者がページ番号タブ５０２を押下することにより、計量装置１はページ番号を入力する。また、操作者がワンタッチキー５０３を押下することにより、計量装置１は商品コードを入力する。
【００２８】
計量装置１は入力したページ番号のページを構成するワンタッチキー５０３をタッチパネル１２Ａに表示する。
【００２９】
ワンタッチキー５０３の更新処理が行われた場合、計量装置１は、所定時間の間更新されたワンタッチキー５０３をハイライト表示し、結果表示欄５０４を表示する。
【００３０】
従って、操作者はワンタッチキー５０３が更新されたことを知ることができる。
【００３１】
更新終了後、操作者が販売する商品に対応するワンタッチキー５０３を押下すると計量装置１は商品コードを入力する。計量装置１は入力された商品コードに基づいて商品マスタ１８Ａを検索し、名称、部門、及び単価を読み出す。
【００３２】
操作者が商品を計量部１５に乗せてキーボード１２Ｂの「計量キー」を押下すると、計量装置１は計量部１５が計量した重さと、単価に基づいて販売価格を算出する。
【００３３】
キーボード１２Ｂの「プリント」ボタンが押下されると、計量装置１は、プリンタ１４によって記録媒体に、名称、単価、重さ、及び販売価格を画像形成する。
【００３４】
図６は、計量装置１のワンタッチキー５０３の更新動作を示すフローチャートである。図６に示すように、ステップ６００において、集約サーバ２は計量装置１に対して更新指示を送信する。
【００３５】
ステップ６０１において、計量装置１は集約サーバ２に認証要求を送信する。
【００３６】
ステップ６０２において、集約サーバ２は計量装置１を認証する。
【００３７】
ステップ６０３において、集約サーバ２はワンタッチキー５０３の更新のための更新データを計量装置１に送信する。
【００３８】
ステップ６０４において、計量装置１はワンタッチキー５０３の更新のための更新データデータを受信する。
【００３９】
ステップ６０５において、計量装置１は受信した更新データに基づいてキーマスタ１８Ｂを更新する。
【００４０】
ステップ６０６において、計量装置１は更新結果を集約サーバ２に送信する。
【００４１】
ステップ６０７において、集約サーバ２は更新結果を受信し、ログファイルに格納する。
【００４２】
ステップ６０８において、計量装置１は所定時間の間更新されたワンタッチキー５０３をハイライト表示し、結果表示欄５０４を表示する。
【００４３】
以上述べたように、本実施形態の計量装置１は、押下されることによって商品コードを入力するワンタッチキー５０３を表示するタッチパネル１２Ａと、記録媒体に画像形成するプリンタ１４と、商品の重さを計量する計量部１５と、商品コードごとに商品の名称及び単価を格納する商品マスタ１８Ａと、ワンタッチキー５０３ごとに固有に割り当てられるキー番号ごとに商品コード及びワンタッチキーに表示する表示名称を格納するキーマスタ１８Ｂと、通信を行う通信部１７と、通信部１７を介して接続する集約サーバ２から更新指示と更新データを受信した場合、キーマスタ１８Ｂを更新する制御部と、を備える。
【００４４】
従って、複数の計量器のタッチパネルの表示を一括して変更できるという効果がある。
【００４５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１：計量装置
２：集約サーバ
１４：プリンタ
１５：計量部
１８Ａ：商品マスタ
１８Ｂ：キーマスタ
【図１】
2014169888.tif 000003
【図２】
2014169888.tif 000004
【図３】
2014169888.tif 000005
【図４】
2014169888.tif 000006
【図５】
2014169888.tif 000007
【図６】
2014169888.tif 000008